(57)【要約】【課題】容易に着脱可能であり、十分な吸音性能を有するハンマー用防音カバーを提供する。【解決手段】  両口ハンマー１５に着脱可能なハンマー用防音カバー１であって、両口ハンマーの両方の打撃頭部１６にとりつけられ、軟質材料からなるキャップ３と、前記キャップ３同士を結合させ、伸縮性を有する結合部８、９、１０と、前記キャップ３内に収容される吸音材２と、キャップ３内に収容される金属板７を含むハンマー用防音カバーである。【選択図】  図１
2019136824.tif 000002
【特許請求の範囲】
【請求項１】
両口ハンマーに着脱可能なハンマー用防音カバーであって、
前記両口ハンマーの両方の打撃頭部にとりつけられる、軟質材料からなるキャップと、
前記キャップ同士を結合させ、伸縮性を有する結合部と、
前記キャップ内に収容される吸音材と、を含む
ハンマー用防音カバー。
【請求項２】
前記キャップ内であって、吸音材よりも打撃側に金属板を含む、請求項１に記載のハンマー用防音カバー。
【請求項３】
前記吸音材はジェル状の樹脂からなるジェルマットを含む、請求項１または２に記載のハンマー用防音カバー。
【請求項４】
前記吸音材はさらに複層の段ボール層を含み、前記段ボール層は前記ジェルマットよりもハンマー側に配置される、請求項３のハンマー用防音カバー。
【請求項５】
前記吸音材と前記金属板がゴムチューブでまとめられている、請求項１〜４のいずれかに記載のハンマー用防音カバー。
【請求項６】
前記キャップの打撃側に保護部材が接着されている、請求項１〜５のいずれかに記載のハンマー用防音カバー。
【請求項７】
請求項１〜６に記載のハンマー用防音カバーが装着されたハンマー。
【発明の詳細な説明】
【技術分野】
【０００１】
本発明は、特に建築現場等で使用され、ハンマーの打撃に伴う騒音を低減するハンマー用カバーおよびハンマーに関する。
【背景技術】
【０００２】
建設現場等において、例えば金属パイプによる足場組み付けの際にハンマー殴打による騒音が発生し、近隣の住民のストレスになるという問題があった。そこで、従来、ハンマーによる打撃音を低減する方法が検討されてきた。
【０００３】
特許文献１は、ハンドハンマ−や電動ハンマ−の殴打頭部が反発弾性値の低いエラストマ−またはゴムである制振樹脂材からなる被覆部により覆われ、被覆部の外側は金属やプラスチックやゴムからなる保護体により覆われたハンマーおよび着脱可能なキャップを開示している。特許文献２は、ハンマーの本体部分に、特殊粘弾性ゴムから成る打撃部材がとりつけられているショックレス・ハンマーを開示している。特許文献３は、ハンマー打撃部にゴム状弾性体材料から成る受衝部を有し、受衝部内に小孔を有する金属板が埋設されている、ハンマー消音キャップを開示している。
【先行技術文献】
【特許文献】
【０００４】
【特許文献１】特開２００２−２００５７８号公報
【特許文献２】実開昭６１−１０９６８６号公報
【特許文献３】実開昭５０−１３６８６５号公報
【発明の概要】
【発明が解決しようとする課題】
【０００５】
しかしながら、特許文献１および特許文献２のハンマーおよびハンマー用キャップでは、吸音材または被膜材を凹凸またはネジによりハンマー頭部と係合させているため、キャップを取り付けるための係合部を有するハンマーを新たに準備する必要があり、長年使い慣れたハンマーに後付けすることはできない。また、吸音材としてゴムまたはエラストマーのみを用いているため、吸音性能が不十分である。特許文献３のハンマー用キャップでは、取り付け方法は明記されていないがしっかりと固定しようとすると着脱は困難であるし、また吸音性能も不十分である。
【０００６】
そこで、本発明は、使い慣れたハンマーに後付けで、また容易に着脱可能に取り付けられるハンマー用防音カバーおよび防音ハンマーを提供することを課題とする。
【課題を解決するための手段】
【０００７】
本発明は、両口ハンマーに着脱可能なハンマー用防音カバーであって、前記両口ハンマーの両方の打撃頭部にとりつけられる、軟質材料からなるキャップと、前記キャップ同士を結合させ、伸縮性を有する結合部と、前記キャップ内に収容される吸音材と、を含むハンマー用防音カバーである。
【０００８】
これによれば、防音カバーが容易に着脱可能であるため、使いなれたハンマーに取り付けることができるし、使用後カバーが劣化しても、容易に取り換えることができる。結合部が伸縮性を有しているため、両方の打撃頭部に取り付けられたキャップ同士が確実に結合され、作業中においても両方からの引張に耐えることができ、外れたりずれることがない。また、吸音材を含むことによって、打ち込み時の騒音が軽減される。キャップは軟質材料から成るため、かたいものを叩いたときにキャップが割れてケガをする心配がない。軟質材料は、ゴム、塩ビ、エラストマー等から選択される。
【０００９】
前記ハンマー用防音カバーは、前記キャップ内であって、吸音材よりも打撃側に金属板を含むことが好ましい。
【００１０】
これによれば、吸音性能を保ちながら、作業者が硬い物を叩いた感触を手に感じやすくなる。
【００１１】
前記吸音材はジェル状の樹脂からなるジェルマットを含むことが好ましい。また、前記吸音材はさらに複層の段ボール層を含み、前記段ボール層は前記ジェルマットよりもハンマー側に配置されることが好ましい。
【００１２】
これによれば、高い吸音性能が得られる。
【００１３】
前記吸音材と前記金属板がゴムチューブでまとめられていることが好ましい。
【００１４】
これによれば、取り付けが容易になる。
【００１５】
前記キャップの打撃側に保護部材が接着されていることが好ましい。
【００１６】
これによれば、キャップが薄い材料でできていたとしても、角のある物体を叩いても破れない。
【００１７】
また、本発明は、上記ハンマー用防音カバーが装着されたハンマーである。
【発明の効果】
【００１８】
本発明によるハンマー用防音カバーは、ハンマーにしっかりと固定されながら、着脱が容易であり、手持ちのハンマーに容易に取り付けられる。また、打撃感と打撃力は維持しつつ、防音性能が高く、建設現場などにおいて、騒音を低減することができる。
【図面の簡単な説明】
【００１９】
【図１】本実施形態のハンマー用防音カバーを装着したハンマーの中央断面図である。
【発明を実施するための形態】
【００２０】
以下、図面を参照しながら、本発明の好ましい実施形態について説明する。本実施形態のハンマー用防音カバー１は、両口ハンマー１５に取り外し可能なハンマー用防音カバーであって、前記両口ハンマー１５の両方の打撃頭部１６にとりつけられる、軟質材料からなる２つのキャップ３と、前記キャップ３同士を結合させ、伸縮性を有する結合部８、９、１０と、前記キャップ３内に収容される吸音材２と、キャップ３内に収容され吸音材２よりも打撃側に配置される金属板７を含んでいる。
【００２１】
キャップ３は、側壁部３１と頭壁部３２により成る有底円筒形状であり、側壁部３１と頭壁部３２は共にゴムやエラストマー、塩化ビニル樹脂等の軟質材料で形成されている。側壁部３１の厚みはハンマーに容易に着脱可能によく伸縮するよう１.５ｍｍ〜２ｍｍが好ましい。一方、頭壁部３２は打撃部となり強度が必要なため、その厚みは側壁部３１の厚みよりも厚く、４ｍｍ〜５ｍｍが好ましい。頭壁部３２が軟質材料から成るため、硬いものを叩いた場合もキャップが割れて作業者がケガをする虞がない。
【００２２】
キャップ３の頭壁部３２の打撃側表面にはフェルト製の保護部材４が接着されている。これにより、角のある物体を叩いてもキャップ３の頭壁部３２がやぶれることを防ぐことができる。
【００２３】
吸音材２は、軟質樹脂マット５と段ボール６から構成され、図1に示されるように、軟質樹脂マット５は打撃側、段ボール６はハンマーの打撃頭部１６側に配置されている。軟質樹脂マット５は、防振マットとしても一般的に使用される、例えばゲル状ウレタン樹脂やウレタンエラストマーや熱可塑性エラストマーから成る軟質素材のマットであり、ジェル状樹脂からなるジェルマットが好ましい。吸音性能を確保するため、３ｍｍ〜５ｍｍが好ましい。なお、軟質樹脂マット５の例として、特開２００１―３１６４４７、特開２００７−８５４６１、特開２００４−３２３５９８を参照されたい。軟質樹脂マット５は吸音性能が高く、段ボール６との組み合わせによりさらに吸音性能が高くなる。
【００２４】
段ボール６は表ライナー、裏ライナー、波状の中芯を有する一般的なものであり、厚み１.５ｍｍ〜３ｍｍが好ましい。段ボール６は複層であることが好ましく、本実施形態では３枚を重ねている。内部に空気層を含むため、段ボール６だけでも吸音性能は高いが、雨の日などに水が入り込んでしまうと一時的に劣化してつぶれてしまうため、軟質樹脂マット５と共に用いるのが好ましい。
【００２５】
金属板７は、厚み１ｍｍ〜１.５ｍｍの鉄製の薄板であり、作業者が硬いものを叩いた時の感触を感じやすくするものである。通常、柔らかい材料から成るハンマーによって、硬いものを叩くと、弾力のみを手が感じるのみであり、硬いものを叩いた感触が少なく、作業者にとって不都合である。金属板７を入れることによって、硬いものを叩いた感触を手に感じやすくなる。
【００２６】
軟質樹脂マット５と段ボール６と金属板７は、ゴムチューブ１３によってまとめられている。ゴムチューブ１３とキャップ３の頭壁部３２の内部は接着材にて接着される。
【００２７】
結合部８、９、１０は、伸縮性を有するゴムベルトであり、図中右側のキャップ３と左側キャップ３を結合するものである。結合部８、９、１０はそれぞれキャップ３の側壁部３１と固定部１２により固定されている。結合部は、少なくとも、打撃部の下側、すなわちハンマーの柄側であり、かつ柄を挟むように設けられる２箇所と（図１においては１箇所のみが見えている）、ハンマー上側の１箇所にとりつけられることが好ましい。ハンマー上側の結合部は、図中右側結合部９と、左側結合部８がスナップボタン１１で容易に脱着できる。スナップボタン１１に変えて面ファスナー等、既知の取付方法に変更することも可能である。一方、２箇所の結合部１０、１０は、着脱できない構造となっている。結合部８、９、１０が伸縮性を有しているため、図中右側のキャップ３と左側のキャップ３は確実に結合され、作業中においても両方からの引張に耐えることができ、外れたりずれることがない。
【００２８】
防音カバー１をハンマー１５に取り付ける時はスナップボタン１１を外したまま、２箇所の下側結合部１０、１０の間に上からハンマー１５の柄を通して、ハンマー１５の打撃頭部１６にキャップ３を取り付け、最後にスナップボタン１１をとめる。防音カバー１を取り外す時は、スナップボタン１１を外し、キャップ３を打撃頭部１６から外し、下側結合部１０、１０の間に柄を通して取り外せばよい。
【００２９】
表１は、本実施形態の防音カバー１を鉄両口ハンマーに取り付けた場合と、鉄両口ハンマー、樹脂ハンマー（打撃部はポリ塩化ビニル製）を用いた場合の、打ち込み力および打ち込み時に発生する騒音の比較を示す。それぞれのハンマーで一回、同等の打撃力により、仮設足場材料のクサビ緊結式足場の手摺を叩き、打ち込み前から打ち込み後の打ち込み距離を測定した。また、その時に発生する音をデジタル騒音計により測定した。なお、測定場所において、ハンマー音無しの昼間の騒音は４５〜５５ｄＢであった。
【００３０】
【表１】
2019136824.tif 000003
【００３１】
表１により、本発明のハンマー用防音カバー１を取り付けたハンマーは、鉄ハンマーと同等の打撃力を確保しつつ、騒音を低減できることがわかる。
【００３２】
本発明の実施の形態は、上述した実施の形態に限定されるものではない。本発明の技術的思想を逸脱しない範囲において、改良、変更、追加等を加えることができる。それらの改変、均等物等も本発明の技術的範囲に含まれる。
【産業上の利用可能性】
【００３３】
本発明は建築分野等において、騒音の低減に貢献できるハンマー用カバーおよびハンマーを提供でき、その工業的利用価値は大である。
【符号の説明】
【００３４】
１・・・ハンマー用防音カバー
２・・・吸音材
３・・・キャップ
３１・・・側壁部
３２・・・頭壁部
４・・・保護部材
５・・・軟質樹脂マット
６・・・段ボール
７・・・金属板
８、９、１０・・・結合部
１１・・・スナップボタン
１２・・・固定部
１３・・・ゴムチューブ
１５・・・両口ハンマー
１６・・・打撃頭部
【図１】
2019136824.tif 000004